(57)【特許請求の範囲】
【請求項１】
撮影光学系と、この撮影光学系を駆動するカム手段と、このカム手段による前記撮影光学系のズーミング駆動に連動し、フォーカシング駆動に非連動のファインダー光学系と、前記カム手段の駆動を制御する制御手段とを有する光学機器において、
前記カム手段は、前記撮影光学系のフォーカシング駆動に用いられるフォーカシング駆動領域と、このフォーカシング駆動領域の両側において、前記撮影光学系のズーミング駆動に用いられるズーミング駆動領域とを有しており、
前記制御手段は、テレ方向およびワイド方向へのズーミング時にズーム停止ポジションにて前記撮影光学系を前記カム手段のフォーカシング駆動領域からズーミング駆動領域に移動させて前記ファインダー光学系の位置調節を行い、
前記制御手段は、前記テレ方向へのズーミング時における前記撮影光学系のフォーカシング駆動領域からズーミング駆動領域への第１の移動量および前記ワイド方向へのズーミング時における前記撮影光学系のフォーカシング駆動領域からズーミング駆動領域への第２の移動量をそれぞれ設定することを特徴とする光学機器。
【請求項２】
前記ズーム停止ポジションを複数有しており、前記制御手段は、前記ズーム停止ポジション毎に前記第１及び第２の移動量を設定することを特徴とする請求項１に記載の光学機器。
【請求項３】
前記制御手段は、前記第１及び第２の移動量を記憶保持する記憶手段を有することを特徴とする請求項１又は２に記載の光学機器。
【請求項４】
前記記憶手段が、ＥＥＰＲＯＭであることを特徴とする請求項３に記載の光学機器。
【発明の詳細な説明】
【０００１】
【発明の属する技術分野】
本発明は、撮影光学系に連動して変倍動作（ズーミング）が可能なファインダー光学系を備えたカメラ等の光学機器に関するものである。
【０００２】
【従来の技術】
従来、ズームファインダーのズーム動作は撮影光学系の焦点距離切り替え（ズーム）動作に連動させて駆動していた。その際、ファインダーの視野率が適正値になるように連動機構が構成されている。
【０００３】
近年、カメラの小型化やコストダウンのために撮影光学系のズーム機構と合焦（フォーカス）機構を一体化したカメラが多くなっている。このようなカメラにおいてもファインダー光学系を撮影光学系に連動させてファインダーのズーム動作を行っているが、常時連動していると撮影光学系のフォーカス動作時にファインダー光学系が動いてしまいファインダーを覗いている撮影者に違和感を感じさせるおそれがある。
【０００４】
そこで、特開平９−２１１５５４号公報において、ファインダー光学系と撮影光学系がズーム時は連動し、フォーカス時は非連動となるようなカメラが提案されている。その際、視野率はズーム動作のシーケンスにより撮影光学系を停止するズームポジションのフォーカス領域を超える位置まで一旦繰り出したその位置により設定される。
【０００５】
【発明が解決しようとする課題】
しかしながら、上記特開平９−２１１５５４号公報提案のカメラでは、ファインダー視野率が、テレ方向のズーム動作シーケンスにより適正値に調整されるため、ワイド方向のズーム動作時においては、ズーム機構とフォーカス機構を一体化した事でのカムの複雑化等によるメカの製造誤差やズームの高倍率化でのファインダー光学系の敏感度アップ等により視野率がずれてしまうという問題があった。
【０００６】
そこで、本発明は、ズーム停止ポジションにおいてズーミング方向にかかわらずズームファインダーの視野率を適正に設定できるようにした光学機器を提供することを目的としている。
【０００７】
【課題を解決するための手段】
上記目的を達成するために、本願発明では、撮影光学系と、この撮影光学系を駆動するカム手段と、このカム手段による撮影光学系のズーミング駆動に連動し、フォーカシング駆動に非連動のファインダー光学系と、カム手段の駆動を制御する制御手段とを有する光学機器において、カム手段は、撮影光学系のフォーカシング駆動に用いられるフォーカシング駆動領域と、このフォーカシング駆動領域の両側において、撮影光学系のズーミング駆動に用いられるズーミング駆動領域とを有しており、制御手段は、テレ方向およびワイド方向へのズーミング時にズーム停止ポジションにて撮影光学系をカム手段のフォーカシング駆動領域からズーミング駆動領域に移動させてファインダー光学系の位置調節を行い、この制御手段に、テレ方向へのズーミング時における撮影光学系のフォーカシング駆動領域からズーミング駆動領域への第１の移動量およびワイド方向へのズーミング時における撮影光学系のフォーカシング駆動領域からズーミング駆動領域への第２の移動量をそれぞれ設定させるようにしている。
【０００８】
ファインダー光学系の視野率は上記第１及び第２の移動量により決定されるので、上記の構成を採用して、ズーミング方向毎にファインダーの適正視野率となる第１及び第２の移動量をＥＥＰＲＯＭ等の記憶手段に記憶保持させておくことにより、ズーミング方向にかかわらずズーム停止ポジションにおけるファインダー視野率を適正に設定することが可能となる。
【０００９】
なお、ズーム停止ポジションが複数設けられている場合には、これらズーム停止ポジション毎に、ズーミング方向ごとの第１及び第２の移動量を設定するようにして、全てのズーム停止ポジションにてズーミング方向にかかわらずファインダー視野率を適正に設定することができるようにするのが望ましい。
【００１０】
【発明の実施の形態】
（第１実施形態）
図１は本発明の第１の実施例であるカメラの撮影光学系のズーム鏡筒を示している。円筒内周にメスヘリコイド１ａを持ち、外周に固定用のフランジ部分１ｂを持った固定メスヘリコイド筒１は、その側面略中央に穴１ｃを有する。更に、内周には複数本のキー溝１ｄを有する。
【００１１】
固定メスヘリコイド筒１とヘリコイド嵌合するオスヘリコイド２ａを持ったオスヘリコイド筒２には、そのオスヘリコイド・リードに沿ったスパイラルギア２ｂを有する。このスパイラルギア２ｂは、固定メスヘリコイド筒１とオスヘリコイド筒２とがヘリコイド嵌合している状態では、穴１ｃを通じて固定メスヘリコイド筒１の内側に突出した駆動ギア３に噛合する。
【００１２】
以上の構成によって、駆動ギア３が回転すると、オスヘリコイド筒２は回転しながら固定メスヘリコイド筒１に対して光軸方向に繰り出す。また、オスヘリコイド筒２の内周には、これと回転可能に嵌合し、かつ光軸方向には抜け出ないように固定された直進筒４が収容される。
【００１３】
直進筒４の端部には、固定メスヘリコイド筒１のキー溝１ｄと嵌合摺動する複数本のキー４ａが形成されている。従って、オスヘリコイド筒２が回転しながら固定メスヘリコイド筒１に対して繰り出すと、直進筒４は、オスヘリコイド筒２とは一体的に回転すること無く固定メスヘリコイド筒１に対して光軸方向に繰り出す。
【００１４】
更に、直進筒４の内周には、図中不図示のレンズ群や、シャッター開閉機構、フォーカス用レンズ繰り出し機構等を保持するレンズ枠５，６が収容される。各レンズ枠５，６の外周には、複数本のカムピン５ａ，６ａが取付けられており、これらカムピン５ａ，６ａは、直進筒４に形成された長穴４ｂに摺動可能に嵌合している。このため、各レンズ枠５，６は直進筒４に対して回転すること無く光軸方向に移動可能である。
【００１５】
また、オスヘリコイド筒２の内周には、長穴４ｂを貫通した各カムピン５ａ，６ａが嵌合し、オスヘリコイド筒２の回転に伴ってこれを光学条件を満足するよう案内するカム溝( 図中不図示) が形成されている。
【００１６】
以上の構成において、駆動ギア３が回転すると、オスヘリコイド筒２と直進筒４とが一体的に固定メスヘリコイド筒１に対して繰り出し、更に、そこから各レンズ枠５，６が繰り出し可能な差動型ズーム鏡筒が構成される。
【００１７】
直進筒４の光軸方向端部上側には、台部４ｃが形成されており、この台部４ｃの上部には円柱状のピン部４ｄが形成されている。このピン部４ｄは固定メスヘリコイド筒１の上部に光軸方向に延びるよう形成された溝部１ｅに嵌合し、鏡筒のズーム動作に応じて光軸方向前後に運動する。ピン部４ｄの位置は、撮影レンズ群を保持するレンズ枠５，６の位置と対応しているで、ピン部４ｄの位置を検出することによって撮影レンズの焦点距離を知ることが出来る。
【００１８】
次に、図２を用いて撮影レンズのズーム動作に連動してズーム動作するファインダー光学系について説明する。レンズ鏡筒の固定メスヘリコイド筒１の上部には、ファインダーカム板１０が配設されており、このファインダーカム板１０は、固定メスヘリコイド筒１の外周に光軸方向に延びて形成された突部１ｆ，１ｇと外周全部に形成されたフランジ部１ｂとによって位置規制されて、固定メスヘリコイド筒１の円周方向のみ移動可能となっている。
【００１９】
また、ファインダーカム板１０は更に上部からファインダー地板１１により押さえられている。ファインダー対物レンズ１２，１３を保持している対物レンズ枠１４，１５には穴部１４ａ，１５ａが形成されており、これら穴部１４ａ，１５ａにはファインダーガイドバー１６が貫通している。このファインダーガイドバー１６は、ファインダー地板１１の前端に形成された穴部１１ａに嵌合しており、ファインダー対物レンズ１２，１３（対物レンズ枠１４，１５）を光軸方向前後に案内する。
【００２０】
なお、対物レンズ枠１４，１５の回転止めのため、これら対物レンズ枠１４，１５に形成されたダボ部１４ｂ，１５ｂが、ファインダー地板１１に光軸方向に延びて形成された溝部１１ｂに嵌合している。
【００２１】
また、ファインダーカム板１０の裏側（固定メスヘリコイド筒１に対する側）には、第１カム溝１０ａが形成されており、この第１カム溝１０ａには直進筒４のピン部４ｄが嵌合している。更に、ファインダーカム板１０には、第２および第３カム溝１０ｂ，１０ｃが形成されており、これら第２および第３カム溝１０ｂ，１０ｃには対物レンズ枠１４，１５のダボ部１４ｃ，１５ｃが嵌合している。
【００２２】
ここで、図３にファインダーカム板１０の各カム溝１０ａ，１０ｂ，１０ｃを展開した形で示す。ピン４ｄでは、鏡筒の格納沈胴時は第１カム溝１０ａから外れる（図中に丸囲みの「沈」で示す位置にある）。また、ワイド端では、第１カム溝１０ａにおける図中に丸囲みの「Ｗ」で示す位置まで入る。この時、各ダボ部１４ｃ，１５ｃは、第２および第３カム溝１０ｂ，１０ｃ内における図中に丸囲みの「Ｗ」で示す位置にある。沈胴時も、ダボ部１４ｃ，１５ｃはワイド端位置と同じ位置にある。
【００２３】
撮影レンズが繰り出されると、ピン部４ｄが第１カム溝１０ａを押し込むことにより、ファインダーカム板１０は図３中左方向に移動し、テレ端ではピン部４ｄやダボ部１４ｃ，１５ｃはファインダーカム板１０に対して図中にて丸囲みの「Ｔ」で示す位置まで移動する。このため各対物レンズ枠１４，１５はカム溝１０ｂ，１０ｃに案内されてそれぞれ光軸方向に移動する。
【００２４】
このような構成によれば、沈胴時は直進筒４とファインダーカム板１０との連動を行っているピン部４ｄが、第１カム溝１０ａから外れファインダーカム板１０が円周方向に対してフリーになるので、このファインダーカム板１０を固定するために、固定バネ１７が設けられている。具体的には、固定バネ１７の突部１７ａがファインダーカム板１０の端面１０ｄに形成されたＶ溝１０ｅに係合して、沈胴からワイドの間でファインダーカム板１０を保持する。また、ワイド端からテレ端の間は、ファインダーカム板１０の端面１０ｄと固定バネ１７とが当接して、これらの間に摩擦力が作用する。
【００２５】
このようにズーム動作したファインダー対物レンズ１２，１３を通過した光束は、三角プリズム１８を通った後、ダハプリズム１９との間で結像される。このためダハプリズム１９と接眼レンズ２０とを通してファインダー像を見ることが出来る。
【００２６】
次に、撮影レンズのフォーカス機構について図４を用いて説明する。図４は、オスヘリコイド筒２の内側に形成されたカム溝の展開図である。このカメラのズーム停止位置は、図中に丸囲みの「Ｂ」，「Ｃ」，「Ｄ」，「Ｅ」で示す４ポジションである。２１はレンズ枠５の外周に形成されたカムピン５ａが嵌合するカム溝であり、このカム溝２１はカムピン５ａと同一本数形成されている。２２はレンズ枠６の外周に形成されたカムピン６ａが嵌合するカム溝であり、このカム溝２２はカムピン６ａと同一本数形成されている。
【００２７】
図中の丸囲み「Ａ」で示す位置はカメラの沈胴位置であり、同「Ｂ」はワイド位置、同「Ｅ」はテレ位置である。また、「Ｆ」で示す領域はワイドにおける無限から至近までのフォーカス繰り出し範囲である。このフォーカス繰り出し範囲は各ポジション「Ｃ」，「Ｄ」，「Ｅ」にも同様に設けられている。
【００２８】
カム溝２２の「Ｆ」領域でカム溝２２の方向がその手前までの方向と逆向きになっているのは、テレ側にオスヘリコイド筒２が繰り出される量と同等な量だけレンズ枠６を戻すためである。このため「Ｆ」領域では、レンズ枠６は光軸方向に全く動かず、レンズ枠５だけが動く。そして、この「Ｆ」領域で繰り出すことで、撮影レンズはフォーカス動作を行う。なお、他の各ポジション「Ｃ」，「Ｄ」，「Ｅ」でもこれと同一の動作によって撮影レンズのフォーカス動作が行われる。
【００２９】
ここで、撮影レンズ鏡筒の沈胴位置からの繰り出しシーケンスでは、図４の「Ｉ」の矢印で示すように、撮影レンズを一旦フォーカス領域「Ｆ」を超える位置まで繰り出した後、無限端まで戻している。同様にテレ方向ズーム動作シーケンスにより停止する各ポジション「Ｃ」，「Ｄ」，「Ｅ」においても「II」，「III 」，「IV」の矢印で示すように駆動する。このため、このフォーカス領域「Ｆ」で撮影レンズとファインダーレンズとが連動していると、ファインダーレンズが微少量ながら変位し、ファインダーを見ている撮影者が違和感を感じる恐れがある。
【００３０】
しかし、本実施形態では、図３に示すように、ファインダーカム板１０の第１カム溝１０ａにフォーカス動作時にファインダー光学系を動かさないための溝幅を設けている。これにより、撮影レンズのテレ方向ズーム動作時には、前述したテレ方向ズーム動作シーケンスに従って、ピン部４ｄが第１カム溝１０ａのカム面１０ａ’に沿って移動し、ファインダーカム板１０を図３中左方向に駆動するが、フォーカス動作時は、前述した繰り出しシーケンスにより無限端に戻された際、ピン部４ｄが４ｄ’から４ｄ”で示す位置に戻っているので、ピン部４ｄが位置４ｄ”と４ｄ’との間を動くだけである。このため、ファインダー対物レンズ１２，１３はズーム動作時は動くがフォーカス動作時は動かない。従って、フォーカス動作時にファインダーを覗いている撮影者が違和感を感じることは無い。
【００３１】
一方、ワイド方向ズーム動作シーケンスにより停止する各ポジション「Ｂ」，「Ｃ」，「Ｄ」においては「I ’」，「II’」，「III ’」の矢印で示すようにテレ側からワイド側に一気に駆動する。このとき、ファインダーは、図３に示すように、ワイド方向ズーム動作シーケンスに従って撮影レンズをフォーカス領域Ｆを超えて繰り込み方向に駆動するため、ピン部４ｄは位置４ｄ”側で第１カム溝１０ａのカム面１０ａ”に沿って移動し、ファインダーカム板１０を図３中右方向に駆動する。
【００３２】
これによれば、撮影レンズがあるズーム停止ポジションにて停止した時には既にそのズーム停止ポジションにおける無限端（ファインダーカム板１０を図３中右方向に駆動して停止した位置）に停止していることになる。従って、フォーカス動作時はピン部４ｄが位置４ｄ”と４ｄ’との間を動くだけなので、ファインダー対物レンズ１２，１３はワイド方向のズーム動作時は動くがフォーカス動作時は動かない。よって、フォーカス動作時にファインダーを覗いている撮影者が違和感を感じることは無い。
【００３３】
図５には、本実施形態のズーム鏡筒の電気回路を示している。この図において、５０はカメラの各動作を制御するＣＰＵ、５１は各制御データの記憶媒体であるＥＥＰＲＯＭ、５２は５３の鏡筒モーターを駆動するモーター制御回路、５４は撮影レンズの繰り出し（繰り込み）量をカウントするパルスカウント回路である。
【００３４】
５５はレリーズボタンの半押し操作によりオンするＳＷ１、５６はレリーズボタンの全押し操作によりオンするＳＷ２、５７はＴＥＬＥズーム操作を行うためのＴＥＬＥ  ＳＷ、５８はＷＩＤＥズーム操作を行うためのＷＩＤＥ  ＳＷである。
【００３５】
５９は撮影レンズのズーム停止ポジションを検知するための鏡筒位置ＳＷで、検知したズーム停止ポジションのフォーカス無限端位置で信号を発生する。
【００３６】
次に図６および図７に示すフローチャートを用いて上記ＣＰＵ５０により行われるズーム動作シーケンスについて説明する。図６は撮影者によりＴＥＬＥ  ＳＷ５７が操作された場合にＣＰＵ５０により行われるテレ方向ズーム動作シーケンスを示すフローチャートである。また、図７はＷＩＤＥ  ＳＷ５８が操作された場合に行われるワイド方向ズーム動作シーケンスを示すフローチャートである。
【００３７】
まず、テレ方向ズーム動作シーケンスから説明する。
【００３８】
ステップ１０１では、モーター制御回路５２により鏡筒モーター５３をテレ（繰り出し）方向に駆動する。
【００３９】
ステップ１０２では、鏡筒位置ＳＷ５９の信号状態を判別し、撮影者が停止させようとするズーム停止ポジションを検知する。
【００４０】
ステップ１０３では、鏡筒位置ＳＷ５９の信号を受けて撮影レンズの繰り出し量をパルスカウント回路５４によりパルス数に換算してカウントを開始する。
【００４１】
ステップ１０４では、停止するズームポジションのフォーカス領域「Ｆ」の繰り出し量をパルス量に換算し、そのパルス量分撮影レンズを繰り出す。
【００４２】
ステップ１０５では、前述した通りフォーカス時にファインダーが動かないようにするために、フォーカス領域「Ｆ」を越えて更に繰り出す量をパルス数に換算し、そのパルス量分撮影レンズを繰り出す。
【００４３】
ステップ１０６では、ステップ１０４およびステップ１０５で撮影レンズを所定量繰り出し終わりパルスカウントを終了する。
【００４４】
ステップ１０７では、モーター制御回路５２により鏡筒モーター５３を逆転しワイド（繰り込み）方向に駆動する。
【００４５】
ステップ１０８では、鏡筒位置ＳＷの信号状態を判別し、停止するズーム停止ポジションの無限端位置まで撮影レンズを繰り込む。
【００４６】
ステップ１０９では、モーター制御回路５２により鏡筒モーター５３を停止する。
【００４７】
ここでファインダー視野率は、上記のテレ方向ズーム動作シーケンスのステップ１０５において、一旦フォーカス領域「Ｆ」を超えて更に撮影レンズを繰り出した時（ファインダーカム板１０を図３中左方向に駆動した時）、撮影レンズとファインダーレンズとが連動して動いて設定される。このため、ＥＥＰＲＯＭ５１に設けた記憶部にメカの製造誤差等による視野率のばらつきを補正する調整量「IIａ」、「 IIIａ」、「IVａ」をズーム停止ポジション毎に記憶させておくことにより視野率が適正値に設定される。
【００４８】
同様に、沈胴位置からの繰り出しシーケンスでは、撮影者が不図示のメインＳＷを操作して電源をＯＮした時に上記のテレ方向ズーム動作シーケンスと同様の制御を行い、調整量「Ｉａ」を記憶しておくことにより視野率が適正値に設定される。
【００４９】
次に、ワイド方向ズーム動作シーケンスについて説明する。
【００５０】
ステップ１２１では、モーター制御回路５２により鏡筒モーター５３をワイド（繰り込み）方向に駆動する。
【００５１】
ステップ１２２では、鏡筒位置ＳＷ５９の信号状態を判別し、撮影者が停止させようとするズーム停止ポジションを検知し、そのズーム停止ポジションの無限端位置まで撮影レンズを繰り込む。
【００５２】
ステップ１２３では、鏡筒位置ＳＷ５９の信号を受け、撮影レンズの繰り込み量をパルスカウント回路５４によりパルス数に換算してカウントを開始する。
【００５３】
ステップ１２４では、テレ方向ズーム動作シーケンスのステップ１０５で調整された停止するズーム停止ポジションの視野率との補正繰り込み量をパルス数に換算し、そのパルス量分撮影レンズを繰り込む。
【００５４】
ステップ１２５では、ステップ１２２およびステップ１２４で撮影レンズを所定量繰り込み終わりパルスカウントを終了する。
【００５５】
ステップ１２６では、モーター制御回路５２により鏡筒モーター５３を停止する。
【００５６】
ここでファインダー視野率は、上記のワイド方向ズーム動作シーケンスのステップ１２４において、フォーカス領域の無限端を越えて更に撮影レンズを繰り込んだ時（ファインダーカム板１０を図３中右方向に駆動した時）、撮影レンズとファインダーレンズとが連動して視野率が設定される。このため、ＥＥＰＲＯＭ５１に設けた記憶部に、同一ズームポジションにおいてメカの製造誤差等によるテレ方向ズーム動作シーケンスにより決定される視野率「Ｉａ」、「IIａ」、「 IIIａ」とのズレを補正する調整量「Ｉｂ」、「IIｂ」、「 IIIｂ」をズームポジション毎に記憶させておくことにより視野率が適正値に設定される。
【００５７】
なお、ズーム停止ポジション「Ｅ」すなわちテレ端においては、テレ方向ズーム動作でしか合わせることが出来ないため、「IVｂ」を設定する必要は無い。
【００５８】
以上説明したように、「Ｂ」、「Ｃ」、「Ｄ」のズーム停止ポジションにおいてそれぞれ、テレ方向ズーム時のファインダー視野率を撮影レンズ位置の調整量「Ｉａ」、「IIａ」、「 IIIａ」で調整し、ワイド方向ズーム時のファインダー視野率を撮影レンズ位置の調整量「Ｉｂ」、「IIｂ」、「 IIIｂ」で調整することで、ズーム動作方向にかかわらず適正視野率を得ることができる。
【００５９】
なお、本発明はズームファインダーを持つ種々の形態のカメラや光学機器、その他の装置に適用することができる。
【００６０】
【発明の効果】
以上説明したように、本発明によれば、ズーミング方向毎に、ズーム停止ポジションにおけるファインダーの適正視野率となる撮影レンズの第１及び第２の移動量（位置調整量）を設定するようにしているので、ズーミング方向にかかわらずズーム停止ポジションにおけるファインダー視野率を適正に設定することができる。
【００６１】
また、ズーム停止ポジションが複数設けられている場合に、これらズーム停止ポジション毎に、ズーミング方向毎の撮影レンズの移動量（第１及び第２の移動量）を設定するようにすれば、全てのズーム停止ポジションにてズーミング方向にかかわらずファインダー視野率を適正に設定することができる。
【００６２】
なお、これらの発明において、ズーム方向毎の撮影レンズの移動量（第１及び第２の移動量）をＥＥＰＲＯＭ等の記憶手段に記憶保持させておくことにより、簡単な構成で上記効果を得ることができる。
【図面の簡単な説明】
【図１】本発明の第１実施形態であるカメラのズーム鏡筒の斜視図である。
【図２】上記ズーム鏡筒およびファインダーズーム機構を示す斜視図である。
【図３】上記ファインダーズーム機構のファインダーカム板の平面図である。
【図４】上記ズーム鏡筒に形成されたズーム用カム溝の展開図である。
【図５】上記カメラの鏡筒駆動部分の電気回路のブロック図である。
【図６】上記カメラにおけるテレ方向ズーム動作シーケンスを示すフローチャートである。
【図７】上記カメラにおけるワイド方向ズーム動作シーケンスを示すフローチャートである。
【符号の説明】
４．直進筒
４ｄ．ピン部
１０．ファインダーカム板
１０ａ．第１カム溝
１２、１３．ファインダー対物レンズ
２１、２２．カム溝
５１．ＥＥＰＲＯＭ
５４．パルスカウント回路
【図１】
0003976870.tif 000002
【図２】
0003976870.tif 000003
【図３】
0003976870.tif 000004
【図４】
0003976870.tif 000005
【図５】
0003976870.tif 000006
【図６】
0003976870.tif 000007
【図７】
0003976870.tif 000008